(57)【要約】      （修正有）【課題】ヘッドホンを保持するとともに、購入者が必要とするヘッドホンを簡便に選択できるようにヘッドホンの音響特性を表示した包装箱を提供する。【解決手段】ヘッドホン用包装箱は本体１０、を備えている。本体１０、は、内部チャンバ１４と、少なくとも1つの開口部１５と、少なくとも1つの蓋部１３と、窓部１６とを有している。開口部１５は、本体１０、を貫通して設けられており、内部チャンバ１４と連通している。蓋部１３は少なくとも1つの開口部１５を覆っている。窓部１６は、本体１０、を貫通して設けられており、内部チャンバ１４と連通し、少なくとも1つの湾曲した縁部を有している。買ってくれそうな購入者は、窓部１６の湾曲した縁部からヘッドホンの動作特性を迅速に認識することができる。したがって、購入者は個々のニーズに合った的確なヘッドホンを迅速かつ正確に選択することができる。【選択図】図１
0003139057.tif 000002
【実用新案登録請求の範囲】
【請求項１】
本体を備えているヘッドホン用包装箱であって、
前記本体が、
前記ヘッドホンを収容するための内部チャンバと、
前記本体を貫通して形成され、前記内部チャンバと連通している少なくとも１つの開口部と、
前記少なくとも１つの開口部をそれぞれ覆っている少なくとも１つの蓋部と、
前記本体を貫通して設けられ、前記内部チャンバと連通し、前記ヘッドホンの動作特性を表示するように構成された少なくとも１つの湾曲した縁部を有している窓部と
を有しているヘッドホン用包装箱。
【請求項２】
前記本体が、直方体形状であり、上面と、底面と、前面と、後面と、２つの側面とをさらに有しており、前記内部チャンバが直方体形状であり、２つの開口部がそれぞれ対応して前記本体の前記上面および前記底面を貫通して設けられており、前記窓部が前記本体の前記前面および前記２つの側面を貫通して形成されている請求項１に記載のヘッドホン用包装箱。
【請求項３】
前記窓部が、矩形状であり、下縁部と上縁部とをさらに有しており、前記少なくとも1つの湾曲した縁部が前記下縁部である請求項２に記載のヘッドホン用包装箱。
【請求項４】
前記窓部が、矩形状であり、下縁部と上縁部とをさらに有しており、前記少なくとも1つの湾曲した縁部が前記窓部の前記上縁部である請求項２に記載のヘッドホン用包装箱。
【請求項５】
前記窓部が、矩形状であり、下縁部と上縁部とをさらに有しており、前記少なくとも1つの湾曲した縁部が前記窓部の前記下縁部と前記上縁部とである請求項２に記載のヘッドホン用包装箱。
【請求項６】
前記本体が、該本体上に形成された目盛り付き領域をさらに有しており、該目盛り付き領域が、音声の周波数を示している横軸と、信号対雑音比（ＳＮＲ）をデシベル（ｄＢ）で示している縦軸とを有している請求項１に記載のヘッドホン用包装箱。
【請求項７】
前記本体が、該本体の前記前面上に形成された目盛り付き領域をさらに備えており、該目盛り付き領域が、音声の周波数を示している横軸と、信号対雑音比（ＳＮＲ）を示している縦軸とを有している請求項２、３、４または５のいずれかに記載のヘッドホン用包装箱。
【請求項８】
前記目盛り付き領域が、前記窓部の前記下縁部の下方に形成されている請求項７に記載のヘッドホン用包装箱。
【請求項９】
透明かつプラスチック製の、前記箱の前記内部チャンバ内に取り付けられている内側ライナをさらに有している請求項１、２、３、４、５または６のいずれかに記載のヘッドホン用包装箱。
【請求項１０】
透明かつプラスチック製の、前記箱の前記内部チャンバ内に取り付けられている内側ライナをさらに有している請求項７に記載のヘッドホン用包装箱。
【請求項１１】
透明かつプラスチック製の、前記箱の前記内部チャンバ内に取り付けられている内側ライナをさらに有している請求項８に記載のヘッドホン用包装箱。
【請求項１２】
前記本体が、該本体の前記上面から突出し、前記本体の前記後面から延出している陳列用タブをさらに有しており、該陳列用タブが該陳列用タブを貫通して設けられている取付孔を有している請求項２、３、４または５のいずれかに記載のヘッドホン用包装箱。
【考案の詳細な説明】
【技術分野】
【０００１】
本考案は、ヘッドホン用包装箱に関するものであり、さらに詳細には、ヘッドホンを収容するととともに、購入者が必要とするヘッドホンを簡便に選択できるように、ヘッドホンの音響特性を表示する包装箱に関するものである。
【背景技術】
【０００２】
音楽を聴く人は優れた忠実度を有している音楽を好む。したがって、高い信号対雑音比（ＳＮＲ）を有しているヘッドホンが、重要であり、実際上必要とされている。さらに、ジャズ、ロックンロール、クラシック音楽やポップミュージックの如き多様なスタイルの音楽は、可聴帯域の異なる部分を強調している。たとえば、ロックンロールは低音を強調し、クラシック音楽では高音を強調している。したがって、ヘッドホン使用者が歪みの無い高音質の音楽を享受できるように、ヘッドホンは、さまざまなスタイルの音楽を再生するための適切な周波数応答を有していなければならない。したがって、ヘッドホン使用者は好みの音楽に合った適切なヘッドホンを選択することができる。
【考案の開示】
【考案が解決しようとする課題】
【０００３】
一般的に、ヘッドホンはプラスチック袋または従来の包装箱に包装されている。従来の包装箱は、ボール紙製の箱と、ヘッドホン型のプラスチック製外装ライナと、使用説明書とを有しており、ボール紙製の箱とプラスチック製外装ライナとの間にヘッドホンおよび使用説明書が設置できるようになっている。たとえ使用説明書にヘッドホンの応答特性および他の情報が記載されていても、購入者は包装箱の外観からはヘッドホンの特性を認識することができない。したがって、購入者は誤って不適切なヘッドホンを購入して金を無駄に費やしてしまう場合もある。
【０００４】
これらの欠点を克服するために、本考案は、前述の欠点を軽減したまたは取り除いたイヤホン用包装箱を提供する。
【課題を解決するための手段】
【０００５】
本考案の主たる目的は、ヘッドホンを保持するとともに、購入者が必要とするヘッドホンを簡便に選択できるようにヘッドホンの音響特性を表示した包装箱を提供することにある。
【０００６】
本考案にかかるヘッドホン用包装箱は本体を備えている。本体は内部チャンバと、少なくとも１つの開口部と、少なくとも１つの蓋部と、窓部とを有している。開口部は、本体を貫通して設けられており、内部チャンバと連通している。蓋部は少なくとも１つの開口部を覆っている。窓部は、本体を貫通して設けられ、内部チャンバと連通し、少なくとも１つの湾曲した縁部を有している。湾曲した縁部はヘッドホンの動作特性を示している。買ってくれそうな購入者は、窓部の湾曲した縁部からヘッドホンの動作特性を迅速に認識することができる。したがって、購入者は個々のニーズに合った適切なヘッドホンを迅速かつ正確に選択することができる。
【考案の効果】
【０００７】
上記のとおり、本考案によれば、窓部は、少なくとも１つの湾曲した縁部を有しており、この湾曲した縁部は、ヘッドホンの動作特性を示しているので、買ってくれそうな購入者は、窓部の湾曲した縁部からヘッドホンの動作特性を迅速に認識することができる。これにより、購入者は個々のニーズに合った適切なヘッドホンを迅速かつ正確に選択することができる。
【考案を実施するための最良の形態】
【０００８】
本考案の他の目的、利点および新規の特徴は添付図面を参照して以下の詳細な説明によってさらに明らかとなる。図１および図３を参照すると、本考案にかかるヘッドホン用包装箱は、本体１０、１０´と、内側ライナ２０とを備えている。
【０００９】
本体１０、１０´は、直方体形状であってもよく、内部チャンバ１４と、少なくとも１つの開口部１５と、少なくとも１つの蓋部１３と、窓部１６と、目盛り付き領域１７と、陳列用タブ１２とを有している。本体１０、１０´が直方体形状である場合、当該本体１０、１０´は、上面と、下面と、前面と、後面と、２つの側面とをさらに有している。
【００１０】
内部チャンバ１４は、直方体形状であってもよく、ヘッドホンを収容するようになっている。少なくとも１つの開口部１５は、本体１０、１０´を貫通して形成され、内部チャンバ１４と連通している。本体１０、１０´が２つの開口部１５を有する場合、開口部１５はそれぞれ対応して本体１０、１０´の上面および下面を貫通して形成される。1つの蓋部１３が、ヘッドホンが本体１０、１０´の内部チャンバ１４から落下するのを防止するために、各開口部１５を覆っている。
【００１１】
図３および図４をさらに参照すると、窓部１６は、矩形状であってもよく、本体１０、１０´を貫通して形成されており、内部チャンバ１４と連通し、矩形状本体１０、１０´の前面および２つの側面を貫通して形成されてもよく、少なくとも1つの湾曲した縁部を有し、窓部１６が矩形状である場合は下縁部１６１と上縁部１６１´とを有してもよい。少なくとも1つの湾曲した縁部は、周波数応答の如きヘッドホンの動作特性を表示した下縁部１６１、上縁部１６１´またはその両方であってもよい。
【００１２】
目盛り付き領域１７は、本体上に形成されており、矩形状本体１０、１０´の前面上に形成されてもよいし、下縁部１６１の下方にさらに形成されてもよく、横軸１７１と縦軸１７２とを有している。横軸１７１は音声の周波数を示している。縦軸１７２は信号対雑音比（デシベル（ｄＢ）表示されるＳＮＲ）を示している。
【００１３】
陳列用タブ１２は、直方体形状の本体１０、１０´の上面から突出し、直方体形状の本体１０、１０´の後面より延出し、取付孔１２１を有している。取付孔１２１は、陳列用タブ１２を貫通して形成されており、包装箱を吊り下げてヘッドホンを陳列することを可能としている。内側ライナ２０は、透明かつプラスチック製であり、ヘッドホンを保持するために箱１０、１０´の内部チャンバ１４内に取り付けられている。
【００１４】
買ってくれそうな購入者は、窓部１６の湾曲した縁部からまたは目盛り付き領域１７からさえも、ヘッドホンの動作特性を迅速に認識することができる。したがって、購入者は、個々のニーズに合った的確なヘッドホンを迅速かつ正確に選択することができる。
【００１５】
先の説明では、本考案の構造および機能の詳細とともにさまざまな特徴および利点を記載したが、開示内容は単なる例示である。添付の特許請求の範囲の記載において、広範囲な意味を有する用語によって示される限り、本考案の原理の範囲内で、特に部品の形状、サイズおよび配置構成の詳細を変更してもよい。
【図面の簡単な説明】
【００１６】
【図１】本考案にかかるヘッドホン用包装箱を示す斜視図である。
【図２】図１の包装箱を示す正面図である。
【図３】開口部の下縁面に対向して開口部の上縁面を有している、本考案にかかるヘッドホン用包装箱の第二の実施形態を示す斜視図である。
【図４】図３の包装箱を示す正面図である。
【図１】
0003139057.tif 000003
【図２】
0003139057.tif 000004
【図３】
0003139057.tif 000005
【図４】
0003139057.tif 000006